(57)【要約】【課題】使用後の操作部を自動的に収納することができる画像形成装置を提供する。【解決手段】本発明の画像形成装置１００は、文字入力が可能な第２入力キー１４９を有する第２操作部１４０と、画像形成装置１００において外部に露出する露出位置と内部に収納する収納位置との間で第２操作部１４０を変位させるＣＰＵ１６０と、露出位置に位置する第２操作部１４０の使用が終了したことを検出する人検知部１９１およびタイマ１９２と、を備える。  ＣＰＵ１６０は、人検知部１９１およびタイマ１９２が露出位置に位置する第２操作部１４０の使用が終了したことを検出すると、第２操作部１４０を露出位置から収納位置へと変位させる。【選択図】図７
2010114491.tif 000002
【特許請求の範囲】
【請求項１】
文字入力が可能な入力キーを有する操作部と、
画像形成装置本体において外部に露出する露出位置と内部に収納する収納位置との間で前記操作部を変位させる制御部と、
前記露出位置に位置する前記操作部の使用が終了したことを検出する検出部と、
を備え、
前記制御部は、前記検出部が前記露出位置に位置する前記操作部の使用が終了したことを検出すると、前記操作部を前記露出位置から前記収納位置へと変位させる画像形成装置。
【請求項２】
前記検出部は、前記画像形成装置本体の前面にいる人の存在を検知する人検知部および前記人検知部が前記人の存在を検知しない時間を計測する第１計測部を備え、
前記第１計測部は、前記人検知部が前記人の存在を検知すると前記時間の計測を終了するとともに計測時間がリセットされ、
前記制御部は、前記第１計測部による計測時間が一定時間以上となると、前記操作部を前記露出位置から前記収納位置へと変位させる請求項１に記載の画像形成装置。
【請求項３】
前記検出部は、前記画像形成装置本体で読み取った画像データを添付した電子メールを送信する送信キーを備え、
前記制御部は、前記送信キーが押下されると、前記操作部を前記露出位置から前記収納位置へと変位させる請求項１または２に記載の画像形成装置。
【請求項４】
前記検出部は、前記入力キーが押下された後の時間を計測する第２計測部を備え、
前記第２計測部は、前記入力キーが押下されると前記時間の計測を終了するとともに計測時間がリセットされ、
前記制御部は、前記第２計測部による計測時間が一定時間以上となると、前記操作部を前記露出位置から前記収納位置へと変位させる請求項１〜３のいずれか１項に記載の画像形成装置。
【請求項５】
前記検出部は、前記画像形成装置本体に載置された原稿の印刷を開始する印刷開始キーを備え、
前記制御部は、前記印刷開始キーが押下されると、前記操作部を前記露出位置から前記収納位置へと変位させる請求項１〜４のいずれか１項に記載の画像形成装置。
【請求項６】
前記検出部は、前記画像形成装置本体の各部への通電を抑制することで通常運転時よりも省電力化が可能な省電力モードに移行させる省電力モードキーを備え、
前記制御部は、前記省電力モードキーが押下されると、前記操作部を前記露出位置から前記収納位置へと変位させる請求項１〜５のいずれか１項に記載の画像形成装置。
【請求項７】
前記検出部は、前記画像形成装置本体がアイドル状態である時間を計測する第３計測部を備え、
前記第３計測部は、前記画像形成装置本体がノンアイドル状態に移行すると前記時間の計測を終了するとともに計測時間がリセットされ、
前記制御部は、前記第３計測部による計測時間が一定時間以上となると、前記画像形成装置本体の各部への通電を抑制することで通常運転時よりも省電力化が可能な省電力モードへと移行させ、前記操作部を前記露出位置から前記収納位置へと変位させる請求項１〜６のいずれか１項に記載の画像形成装置。
【発明の詳細な説明】
【技術分野】
【０００１】
本発明は、キーボードを有する操作部を備える画像形成装置に関する。
【背景技術】
【０００２】
通常の画像形成装置では、画像形成装置本体を制御するための入力キーを含む操作部が、操作性向上のために画像形成装置本体の上部に配置されることが多い。また、近年、画像形成装置の多機能化に伴う入力キー数の増加および操作性向上のための入力キーの大型化の要求が高く、操作部を大型化する必要が生じている。
【０００３】
そこで、操作部としてキーボードを備えて入力キーの大型化に対応した画像形成装置であって、通常時には装置内に操作部が格納されており、使用時には装置内から手前側へ操作部を引き出す画像形成装置が開示されている。
【特許文献１】特開２００４−２７９６９２号公報
【発明の開示】
【発明が解決しようとする課題】
【０００４】
特許文献１等の従来の画像形成装置では、キー入力の際に操作部を引き出し、文字入力の終了後に操作部を収納する、という一連の作業を手動で行っていた。
【０００５】
しかし、ユーザは、操作部を引き出して文字入力をした後に操作部を収納するという作業を忘れることがあった。このため、引き出されたままの操作部に人がぶつかって操作部または装置本体が破損したり、排出された印刷物を排紙トレイから取る際に操作部が邪魔になるという問題があった。
【０００６】
そこで本発明の目的は、上記課題に鑑み、使用後の操作部を自動的に収納することができる画像形成装置を提供することにある。
【課題を解決するための手段】
【０００７】
本発明の画像形成装置は、文字入力が可能な入力キーを有する操作部と、画像形成装置本体において外部に露出する露出位置と内部に収納する収納位置との間で前記操作部を変位させる制御部と、前記露出位置に位置する前記操作部の使用が終了したことを検出する検出部と、を備える。
【０００８】
前記制御部は、前記検出部が前記露出位置に位置する前記操作部の使用が終了したことを検出すると、前記操作部を前記露出位置から前記収納位置へと変位させる。
【０００９】
この構成では、検出部が露出位置に位置する操作部の使用が終了したことを検出したときに、制御部が操作部を露出位置から収納位置へと自動的に変位することによって、ユーザが操作部の収納動作を忘れたときにも操作部が自動的に収納位置に変位する。したがって、引き出されたままの操作部に人がぶつかって操作部または画像形成装置本体が破損したり、排出された印刷物を排紙トレイから取る際に操作部が邪魔になるといった問題が生じることがない。
【００１０】
前記検出部は、前記画像形成装置本体の前面にいる人の存在を検知する人検知部および前記人検知部が前記人の存在を検知しない時間を計測する第１計測部を備え、前記第１計測部は、前記人検知部が前記人の存在を検知すると前記時間の計測を終了するとともに計測時間がリセットされ、前記制御部は、前記第１計測部による計測時間が一定時間以上となると、前記操作部を前記露出位置から前記収納位置へと変位させると好ましい。
【００１１】
この構成では、人検知部が画像形成装置本体の前面にいる人の存在を検知しなくなってから一定時間以上経過することをもって制御部が操作部を露出位置から収納位置へと変位させることにより、適切なタイミングで操作部を収納位置へ自動的に変位させることができる。
【００１２】
前記検出部は、前記画像形成装置本体で読み取った画像データを添付した電子メールを送信する送信キーを備え、前記制御部は、前記送信キーが押下されると、前記操作部を前記露出位置から前記収納位置へと変位させると好ましい。
【００１３】
この構成では、画像形成装置本体で読み取った画像データを添付した電子メールを送信する送信キーが押下されることをもって制御部が操作部を露出位置から収納位置へと変位させることにより、適切なタイミングで操作部を収納位置へ自動的に変位させることができる。
【００１４】
前記検出部は、前記入力キーが押下された後の時間を計測する第２計測部を備え、前記第２計測部は、前記入力キーが押下されると前記時間の計測を終了するとともに計測時間がリセットされ、前記制御部は、前記第２計測部による計測時間が一定時間以上となると、前記操作部を前記露出位置から前記収納位置へと変位させると好ましい。
【００１５】
この構成では、操作部における入力キーが押下されてから一定時間以上経過することをもって制御部が操作部を露出位置から収納位置へと変位させることにより、適切なタイミングで操作部を収納位置へ自動的に変位させることができる。
【００１６】
前記検出部は、前記画像形成装置本体に載置された原稿の印刷を開始する印刷開始キーを備え、前記制御部は、前記印刷開始キーが押下されると、前記操作部を前記露出位置から前記収納位置へと変位させると好ましい。
【００１７】
この構成では、画像形成装置本体に載置された原稿の印刷を開始する印刷開始キーが押下されることをもって制御部が操作部を露出位置から収納位置へと変位させることにより、適切なタイミングで操作部を収納位置へ自動的に変位させることができる。
【００１８】
前記検出部は、前記画像形成装置本体の各部への通電を抑制することで通常運転時よりも省電力化が可能な省電力モードに移行させる省電力モードキーを備え、前記制御部は、前記省電力モードキーが押下されると、前記操作部を前記露出位置から前記収納位置へと変位させると好ましい。
【００１９】
この構成では、画像形成装置本体の各部への通電を抑制することで通常運転時よりも省電力化が可能な省電力モードに移行させる省電力モードキーが押下されることをもって制御部が操作部を露出位置から収納位置へと変位させることにより、適切なタイミングで操作部を収納位置へ自動的に変位させることができる。
【００２０】
前記検出部は、前記画像形成装置本体がアイドル状態である時間を計測する第３計測部を備え、前記第３計測部は、前記画像形成装置本体がノンアイドル状態に移行すると前記時間の計測を終了するとともに計測時間がリセットされ、前記制御部は、前記第３計測部による計測時間が一定時間以上となると、前記画像形成装置本体の各部への通電を抑制することで通常運転時よりも省電力化が可能な省電力モードへと移行させ、前記操作部を前記露出位置から前記収納位置へと変位させると好ましい。
【００２１】
この構成では、画像形成装置本体が一定時間以上アイドル状態であったことをもって制御部が通常運転時よりも省電力化が可能な省電力モードへと移行させ、操作部を露出位置から収納位置へ自動的に変位させることにより、適切なタイミングで操作部を収納位置へ自動的に変位させることができる。
【発明の効果】
【００２２】
本発明における画像形成装置は、使用後の操作部を自動的に収納することができる。
【発明を実施するための最良の形態】
【００２３】
以下、本発明の最良の実施形態に係る画像形成装置を、図面を参照にしつつ詳細に説明する。
【００２４】
図１は、本発明の第１実施形態に係る画像形成装置の構成を示す図である。
【００２５】
画像形成装置１００は、外部から伝達された画像データに応じて、所定のシート（記録用紙）に対して多色および単色の画像を形成するもので、装置本体１１０と、自動原稿処理装置１２０とにより構成されている。装置本体１１０は、露光ユニット１、現像器２、感光体ドラム３、クリーナユニット４、帯電器５、中間転写ベルトユニット６、定着ユニット７、給紙カセット８１および排紙トレイ９１を有して構成されている。
【００２６】
装置本体１１０の上部には、画像読取装置に該当するものであり、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また、自動原稿処理装置１２０は、矢印Ｍ方向に回動自在に構成され、原稿載置台９２の上を開放することにより原稿を手置きで置くことができるようになっている。
【００２７】
画像形成装置１００において扱われる画像データは、ブラック（Ｋ）、シアン（Ｃ）、マゼンタ（Ｍ）およびイエロー（Ｙ）の各色を用いたカラー画像に応じたものである。したがって、現像器２、感光体ドラム３、帯電器５およびクリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２８】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２９】
露光ユニット１は、レーザ射出部および反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１としては、この他発光素子をアレイ状に並べた例えばＥＬやＬＥＤ書き込みヘッドを用いる手法も採用できる。
【００３０】
露光ユニット１は、帯電された感光体ドラム３を入力された画像データに応じて露光することにより、その表面に、画像データに応じた静電潜像を形成する機能を有する。現像器２は、それぞれの感光体ドラム３上に形成された静電潜像を４色（ＹＭＣＫ）のトナーにより顕像化するものである。また、クリーナユニット４は、現像・画像転写後における感光体ドラム３上の表面に残留したトナーを除去・回収する。
【００３１】
感光体ドラム３の上方に配置されている中間転写ベルトユニット６は、中間転写ベルト６１、中間転写ベルト駆動ローラ６２、中間転写ベルト従動ローラ６３、中間転写ローラ６４および中間転写ベルトクリーニングユニット６５を備えている。中間転写ローラ６４は、ＹＭＣＫ用の各色に対応して４本設けられている。
【００３２】
中間転写ベルト駆動ローラ６２、中間転写ベルト従動ローラ６３および中間転写ローラ６４は、中間転写ベルト６１を張架して回転駆動させる。また、各中間転写ローラ６４は、感光体ドラム３のトナー像を、中間転写ベルト６１上に転写するための転写バイアスを与える。
【００３３】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３４】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８ｍｍ〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３５】
上述のように各感光体ドラム３上で各色相に応じて顕像化された静電像は中間転写ベルト６１で積層される。このように、積層された画像情報は中間転写ベルト６１の回転によって、用紙と中間転写ベルト６１との接触位置に配置される転写ローラ１０によって用紙上に転写される。
【００３６】
このとき、中間転写ベルト６１と転写ローラ１０は所定ニップで圧接されるとともに、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは中間転写ベルト駆動ローラ６２のいずれか一方を硬質材料（金属等）とし、他方を弾性ローラ等の軟質材料（弾性ゴムローラまたは発泡性樹脂ローラ等）としている。
【００３７】
また、上記のように、感光体ドラム３に接触することにより中間転写ベルト６１に付着したトナーもしくは転写ローラ１０によって用紙上に転写が行われず中間転写ベルト６１上に残存したトナーは、次工程でトナーの混色を発生させる原因となるため、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３８】
給紙カセット８１は、画像形成に使用するシート（記録用紙）を蓄積しておくためのトレイであり、装置本体１１０の露光ユニット１の下側に設けられている。また、手差し給紙カセット８２にも画像形成に使用するシートを置くことができる。さらに、装置本体１１０の上方に設けられている排紙トレイ９１は、印刷済みのシートをフェイスダウンで集積するためのトレイである。
【００３９】
装置本体１１０には、給紙カセット８１および手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０および定着ユニット７が配置されている。
【００４０】
搬送ローラ１２ａ〜１２ｄは、シートの搬送を促進・補助するための小型のローラであり、用紙搬送路Ｓに沿って複数設けられている。ピックアップローラ１１ａは、給紙カセット８１の端部近傍に備えられ、給紙カセット８１からシートを１枚ずつピックアップして用紙搬送路Ｓに供給する。同様にピックアップローラ１１ｂは、手差し給紙カセット８２の端部近傍に設けられ、手差し給紙カセット８２からシートを１枚ずつピックアップして用紙搬送路Ｓに供給する。
【００４１】
図２は、本発明の第１実施形態に係る画像形成装置の斜視図である。
【００４２】
画像形成装置１００は、タッチパネル式の表示部１３１およびスタートキーやクリアキーなどの複数のキー１３４を有する第１操作部１３０ならびに表示部１３１へ文字入力をするための第２入力キー１４９を含むキーボード１４２を有する第２操作部１４０を備える。第２操作部１４０は、本発明の操作部に相当する。第２入力キーは、本発明の入力キーに相当する。
【００４３】
表示部１３１には、画像形成装置１００の状態と処理内容とが表示される。また、画像形成装置１００は、画像形成装置１００で読み取ったデータを保存するためのＵＳＢメモリー１５０が着脱可能となっている。さらに、画像形成装置１００の前面にいる人の存在を検知する人検知部１９１が画像形成装置１００の前面に設けられている。
【００４４】
第１操作部１３０は、画像形成装置１００の上面に固定的に配置されている。第２操作部１４０は、軸Ｘ方向において画像形成装置１００の外部に露出する露出位置と画像形成装置１００の内部に収納する収納位置との間で変位可能である。第２操作部１４０は、第１操作部１３０に設けられた開閉スイッチ１８０が押下されることによって自動的に変位する。図２では、第２操作部１４０が露出位置に位置する様子を示している。
【００４５】
第２操作部１４０は、露出位置において表示部１３１の下部に位置する。したがって、入力した文字列を表示部１３１で確認しながら第２入力キー１４９で文字を入力することができるため、容易に文字入力ができる。
【００４６】
図３は、本発明の第１実施形態に係る画像形成装置の操作部を示す図である。
【００４７】
図３（Ａ）は、第２操作部１４０を上面から見た図で、図３（Ｂ）は、第２操作部１４０を水平方向から見た図である。
【００４８】
キーボード１４２は、樹脂製あるいは板金のキーボードトレイ１４１に固定されている。キーボードトレイ１４１は、その両端が画像形成装置１００に設けられたスライドレールに固定され、スライドレールの伸縮によりキーボード１４２を含むキーボードトレイ１４１が変位可能となる。
【００４９】
キーボードトレイ１４１の変位方向における幅方向の一端には、ラックギア１４５が設けられている。ラックギア１４５は、画像形成装置１００に設けられた駆動モータ１４３の回転軸に嵌挿されたピニオンギア１４４と噛合している。駆動モータ１４３は、正逆両回転が可能である。したがって、キーボードトレイ１４１は、ラックピニオン駆動方式で可動し、キーボード１４２は、露出位置と収納位置との間で変位する。
【００５０】
キーボードトレイ１４１の変位方向における幅方向の他端には、軸受部１４８Ａ，１４８Ｂが設けられている。軸受部１４８Ａ，１４８Ｂは、キーボードトレイ１４１の変位方向と平行に孔が開いており、画像形成装置１００に固定配置された軸１４６がその孔を貫通して係合している。
【００５１】
軸１４６の一端にはストッパ１４７Ａが、他端にはストッパ１４７Ｂが設けられている。ストッパ１４７Ａ，１４７Ｂは、キーボードトレイ１４１の可動範囲を規制するための部材である。軸受部１４８Ａ，１４８Ｂは、軸１４６を摺動するが、キーボード１４２の露出方向においては軸受部１４８Ａがストッパ１４７Ａに当接するまで、キーボード１４２の収納方向においては軸受部１４８Ｂがストッパ１４７Ｂに当接するまでの範囲でキーボードトレイ１４１が可動する。
【００５２】
また、ストッパ１４７Ａには露出検知センサ１８１が、ストッパ１４７Ｂには収納検知センサ１８２が設けられている。露出検知センサ１８１は、第２操作部１４０が露出位置に位置したときに軸受部１４８Ａに接触する。収納検知センサ１８２は、第２操作部１４０が収納位置に位置したときに軸受部１４８Ｂに接触する。露出検知センサ１８１および収納検知センサ１８２の詳細な働きについては、図４および図５において説明する。
【００５３】
図３（Ａ）に示すように、キーボード１４２は、露出位置において表示部１３１の下部に位置する。したがって、入力した文字列を表示部１３１で確認しながら第２入力キー１４９で文字を入力することができるため、容易に文字入力ができる。
【００５４】
図４は、本発明の第１実施形態に係る画像形成装置の操作部を変位する際に動作する各部の構成を示す図である。
【００５５】
ＣＰＵ１６０は、露出検知センサ１８１、収納検知センサ１８２、開閉スイッチ１８０および駆動モータ１４３と接続する。ＣＰＵ１６０は、本発明の制御部に相当する。
【００５６】
露出検知センサ１８１は、接触検知型のセンサであり、軸受部１４８Ａが接触する状態で第２操作部１４０が露出位置に位置していることをＣＰＵ１６０に伝達する。収納検知センサ１８２は、接触検知型のセンサであり、軸受部１４８Ｂが接触する状態で第２操作部１４０が収納位置に位置していることをＣＰＵ１６０に伝達する。なお、本実施形態において露出検知センサ１８１および収納検知センサ１８２を接触検知型のセンサとしているが、これに限るものではない。
【００５７】
第２操作部１４０は、通常は開閉スイッチ１８０が押下されることでＣＰＵ１６０が駆動モータ１４３を駆動させて位置を変位することができる。具体的には、露出検知センサ１８１がＯＮしているときには露出位置から収納位置へ、収納検知センサ１８２がＯＮしているときには収納位置から露出位置へ、と自動で変位可能となっている。
【００５８】
本実施形態では、開閉スイッチ１８０を押下せず、手動で第２操作部１４０を変位することもできる。図５において、手動で第２操作部１４０を変位したときのフローチャートを示す。
【００５９】
図５は、本発明の第１実施形態に係る画像形成装置の操作部を手動で変位したときのフローチャートである。
【００６０】
図５（Ａ）は、第２操作部１４０が露出位置にある場合に手動で第２操作部１４０を変位したときのフローチャートである。
【００６１】
第２操作部１４０が露出位置にある場合は、軸受部１４８Ａが露出検知センサ１８１に接触しており、露出検知センサ１８１がＯＮしている状態である。露出検知センサ１８１がＯＮしているという情報はＣＰＵ１６０に伝達されている。ここで、第２操作部１４０が手動で変位した場合、露出検知センサ１８１がＯＦＦになり、その情報がＣＰＵ１６０に伝達される。
【００６２】
するとＣＰＵ１６０は、駆動モータ１４３を駆動して第２操作部１４０を収納位置に向けて変位させる（Ｓ１０）。第２操作部１４０が収納位置に到達して軸受部１４８Ｂが収納検知センサ１８２に接触し、収納検知センサ１８２がＯＮであるという情報がＣＰＵ１６０に伝達されると（Ｓ１２）、ＣＰＵ１６０は、駆動モータ１４３を停止させる（Ｓ１４）。
【００６３】
図５（Ｂ）は、第２操作部１４０が収納位置にある場合に手動で第２操作部１４０を変位したときのフローチャートである。
【００６４】
第２操作部１４０が収納位置にある場合は、軸受部１４８Ｂが収納検知センサ１８２に接触しており、収納検知センサ１８２がＯＮしている状態である。収納検知センサ１８２がＯＮしているという情報はＣＰＵ１６０に伝達されている。ここで、第２操作部１４０が手動で変位した場合、収納検知センサ１８２がＯＦＦになり、その情報がＣＰＵ１６０に伝達される。
【００６５】
するとＣＰＵ１６０は、駆動モータ１４３を駆動して第２操作部１４０を露出位置に向けて変位させる（Ｓ２０）。第２操作部１４０が露出位置に到達して軸受部１４８Ａが露出検知センサ１８１に接触し、露出検知センサ１８１がＯＮであるという情報がＣＰＵ１６０に伝達されると（Ｓ２２）、ＣＰＵ１６０は、駆動モータ１４３を停止させる（Ｓ２４）。
【００６６】
これらのように、手動で第２操作部１４０を少しでも変位させたら、ＣＰＵ１６０によって第２操作部１４０が自動で変位する。
【００６７】
図６は、本発明の第１実施形態に係る画像形成装置の操作部を駆動する駆動モータの回路を示す図である。
【００６８】
手動で第２操作部１４０を変位すると、駆動モータ１４３のピニオンギア１４４が回転するとともに駆動モータ１４３の回転軸が回転する。このとき、駆動モータ１４３のコイル２１０の両端には逆起電力が発生する。そこで、手動で第２操作部１４０を変位できる本実施形態では、駆動モータ１４３のコイル２１０の両端に発生する逆起電力を逃がす機構が必要となる。
【００６９】
図６（Ａ）では、コイル２１０の両端においてショットキーダイオード２１２を接続している。この構成では、コイル２１０の両端に発生する逆起電力をコイル２１０で熱として逃がすことができる。
【００７０】
図６（Ｂ）では、コイル２１０の両端においてショットキーダイオード２１２と抵抗２１４とを接続している。この構成では、コイル２１０の両端に発生する逆起電力を抵抗２１４で熱として逃がすことができる。
【００７１】
図６（Ｃ）では、コイル２１０の両端においてショットキーダイオード２１２とツェナーダイオード２１６とを接続している。この構成では、コイル２１０の両端に発生する逆起電力をツェナーダイオード２１６のツェナー電圧で逃がすことができる。
【００７２】
図７は、本発明の第１実施形態に係る画像形成装置の主要な構成を示すブロック図である。
【００７３】
ＣＰＵ１６０は、第１操作部１３０、駆動モータ１４３、メモリー１６１、ＨＤＤ１６２、ＬＣＤコントローラ１６３、人検知部１９１およびタイマ１９２に接続し、各部を総括的に制御する。
【００７４】
メモリー１６１は、ＣＰＵ１６０による画像形成装置１００の制御に必要なデータを記憶している。画像形成装置１００によって読み取られた画像等のデータは、一旦ＨＤＤ１６２に格納される。ＣＰＵ１６０は、必要に応じてＨＤＤ１６２に格納されたデータを読み出して画像形成装置１００の制御を行う。
【００７５】
第１操作部１３０には、画像形成装置１００の状態等を表示する表示部１３１、各種操作をするためのキー１３４および第２操作部１４０を自動で変位させる開閉スイッチ１８０が設けられている。
【００７６】
第２操作部１４０が収納位置に位置している場合に開閉スイッチ１８０が押下されると、ＣＰＵ１６０は、駆動モータ１４３を駆動させて第２操作部１４０を収納位置から露出位置へと変位させる。するとユーザは、キーボード１４２の第２入力キー１４９を使って文字入力をすることが可能となる。キーボード１４２で入力された文字は、ＬＣＤコントローラ１６３を介して表示部１３１に表示される。文字入力が終わって開閉スイッチ１８０が押下されると、ＣＰＵ１６０は、駆動モータ１４３を駆動させて第２操作部１４０を露出位置から収納位置へと変位させる。文字入力が必要なときにだけ第２操作部１４０を露出させ、文字入力が終わると第２操作部１４０を収納させることにより、文字入力を快適に行うことができ、かつ、文字入力後に第２操作部１４０がユーザの邪魔になることがない。
【００７７】
本発明は、露出位置に位置する第２操作部１４０の使用が終了したことを検出する検出部が設けられ、かつ、検出部が露出位置に位置する第２操作部１４０の使用が終了したことを検出すると、ＣＰＵ１６０が第２操作部１４０を露出位置から収納位置へと変位させることが特徴である。本実施形態では、検出部として、人検知部１９１およびタイマ１９２が設けられる。タイマ１９２は、本発明の第１計測部に相当する。
【００７８】
人検知部１９１は、画像形成装置１００の前面にいる人の存在を検知する。タイマ１９２は、人検知部１９１が画像形成装置１００の前面にいる人の存在を検知しない時間を計測する。また、タイマ１９２は、人検知部１９１が画像形成装置１００の前面にいる人の存在を検知すると時間の計測が終了するとともに計測時間がリセットされる。ＣＰＵ１６０は、タイマ１９２による計測時間が一定時間以上となると、第２操作部１４０を露出位置から収納位置へと変位させる。
【００７９】
図８は、本発明の第１実施形態に係る画像形成装置の制御部が操作部を露出位置から収納位置へと変位させるフローチャートである。
【００８０】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図８では、この状態からフローがスタートするものとする。
【００８１】
キーボード１４２の使用が終了し、画像形成装置１００の前面からユーザが離れると、人検知部１９１がＯＦＦし（Ｓ１１０）、その情報がＣＰＵ１６０に伝達されると、ＣＰＵ１６０は、タイマ１９２に時間の計測を開始させる（Ｓ１２０）。その後タイマ１９２の計測時間が一定時間を経過すると（Ｓ１３０）、その情報がＣＰＵ１６０に伝達され、ＣＰＵ１６０は、駆動モータ１４３を駆動して第２操作部１４０を露出位置から収納位置へと変位させる（Ｓ１４０）。
【００８２】
Ｓ１３０においてタイマ１９２の計測時間が一定時間を経過する前に再び人検知部１９１がＯＮすると（Ｓ１５０）、その情報がＣＰＵ１６０に伝達され、ＣＰＵ１６０は、タイマ１９２の時間の計測を終了させ（Ｓ１６０）、タイマ１９２の計測時間をリセットする（Ｓ１７０）。
【００８３】
図９は、本発明の第２実施形態に係る画像形成装置の主要な構成を示すブロック図である。
【００８４】
本実施形態の構成と第１実施形態の構成は、検出部が異なるだけであるので、それ以外の説明は割愛する。本実施形態以降の実施形態においても同様とする。
【００８５】
本実施形態では、検出部として、送信キー１９３が該当する。送信キー１９３は、画像形成装置１００で読み取った画像データを添付した電子メールを送信する。ＣＰＵ１６０は、送信キー１９３が押下されると、第２操作部１４０を露出位置から収納位置へと変位させる。
【００８６】
図１０は、本発明の第２実施形態に係る画像形成装置の制御部が操作部を露出位置から収納位置へと変位させるフローチャートである。
【００８７】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図１０では、この状態からフローがスタートするものとする。
【００８８】
キーボード１４２の使用が終了し、画像形成装置１００で読み取った画像データを添付した電子メールを送信するために送信キー１９３が押下されると（Ｓ２１０）、その情報がＣＰＵ１６０に伝達され、ＣＰＵ１６０は、駆動モータ１４３を駆動して第２操作部１４０を露出位置から収納位置へと変位させる（Ｓ２２０）。
【００８９】
なお、本実施形態では、送信キー１９３が押下されるとすぐに第２操作部１４０が収納するが、これに限るものではない。送信キー１９３が押下されてから所定時間後（例えば、３０秒後）に第２操作部１４０が収納するようにしてもよい。
【００９０】
図１１は、本発明の第３実施形態に係る画像形成装置の主要な構成を示すブロック図である。
【００９１】
本実施形態では、検出部として、タイマ１９４が設けられる。タイマ１９４は、本発明の第２計測部に相当する。タイマ１９４は、キーボード１４２の第２入力キー１４９が押下された後の時間を計測する。また、タイマ１９４は、第２入力キー１４９が押下されると時間の計測を終了するとともに計測時間がリセットされる。ＣＰＵ１６０は、タイマ１９４による計測時間が一定時間以上となると、第２操作部１４０を露出位置から収納位置へと変位させる。
【００９２】
図１２は、本発明の第３実施形態に係る画像形成装置の制御部が操作部を露出位置から収納位置へと変位させるフローチャートである。
【００９３】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図１２では、この状態からフローがスタートするものとする。
【００９４】
キーボード１４２の第２入力キー１４９を使った文字入力が終了すると（Ｓ３１０）、その情報がＣＰＵ１６０に伝達され、ＣＰＵ１６０は、タイマ１９４に時間の計測を開始させる（Ｓ３２０）。その後タイマ１９４の計測時間が一定時間を経過すると（Ｓ３３０）、その情報がＣＰＵ１６０に伝達され、ＣＰＵ１６０は、駆動モータ１４３を駆動して第２操作部１４０を露出位置から収納位置へと変位させる（Ｓ３４０）。
【００９５】
Ｓ３３０においてタイマ１９４の計測時間が一定時間を経過する前に再び第２入力キー１４９が押下されると（Ｓ３５０）、その情報がＣＰＵ１６０に伝達され、ＣＰＵ１６０は、タイマ１９４の時間の計測を終了させ（Ｓ３６０）、タイマ１９４の計測時間をリセットする（Ｓ３７０）。
【００９６】
図１３は、本発明の第４実施形態に係る画像形成装置の主要な構成を示すブロック図である。
【００９７】
本実施形態では、検出部として、複数のキー１３４の一つの印刷開始キー１３４が該当する。印刷開始キー１３４は、画像形成装置１００に載置された原稿の印刷を開始する。ＣＰＵ１６０は、印刷開始キー１３４が押下されると、第２操作部１４０を露出位置から収納位置へと変位させる。
【００９８】
図１４は、本発明の第４実施形態に係る画像形成装置の制御部が操作部を露出位置から収納位置へと変位させるフローチャートである。
【００９９】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図１４では、この状態からフローがスタートするものとする。
【０１００】
キーボード１４２の使用が終了し、画像形成装置１００に載置された原稿の印刷を開始するために印刷開始キー１３４が押下されると（Ｓ４１０）、その情報がＣＰＵ１６０に伝達され、ＣＰＵ１６０は、駆動モータ１４３を駆動して第２操作部１４０を露出位置から収納位置へと変位させる（Ｓ４２０）。
【０１０１】
なお、本実施形態では、印刷開始キー１３４が押下されるとすぐに第２操作部１４０が収納するが、これに限るものではない。印刷開始キー１３４が押下されてから所定時間後（例えば、３０秒後）に第２操作部１４０が収納するようにしてもよい。
【０１０２】
図１５は、本発明の第５実施形態に係る画像形成装置の主要な構成を示すブロック図である。
【０１０３】
本実施形態では、検出部として、省電力モードキー１９６が設けられる。省電力モードキー１９６は、画像形成装置１００の各部への通電を抑制することで通常運転時よりも省電力化が可能な省電力モードに移行させる。ＣＰＵ１６０は、省電力モードキー１９６が押下されると、第２操作部１４０を露出位置から収納位置へと変位させる。
【０１０４】
図１６は、本発明の第５実施形態に係る画像形成装置の制御部が操作部を露出位置から収納位置へと変位させるフローチャートである。
【０１０５】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図１６では、この状態からフローがスタートするものとする。
【０１０６】
キーボード１４２の使用が終了し、画像形成装置１００を省電力モードに移行するために省電力モードキー１９６が押下されると（Ｓ５１０）、その情報がＣＰＵ１６０に伝達され、ＣＰＵ１６０は、駆動モータ１４３を駆動して第２操作部１４０を露出位置から収納位置へと変位させる（Ｓ５２０）。
【０１０７】
なお、本実施形態では、省電力モードキー１９６が押下されるとすぐに第２操作部１４０が収納するが、これに限るものではない。省電力モードキー１９６が押下されてから所定時間後（例えば、３０秒後）に第２操作部１４０が収納するようにしてもよい。
【０１０８】
図１７は、本発明の第６実施形態に係る画像形成装置の主要な構成を示すブロック図である。
【０１０９】
本実施形態では、検出部として、タイマ１９７が設けられる。タイマ１９７は、本発明の第３計測部に相当する。タイマ１９７は、画像形成装置１００がアイドル状態である時間を計測する。また、タイマ１９７は、画像形成装置１００がノンアイドル状態に移行すると時間の計測を終了するとともに計測時間がリセットされる。ＣＰＵ１６０は、タイマ１９７による計測時間が一定時間以上となると、画像形成装置１００の各部への通電を抑制することで通常運転時よりも省電力化が可能な省電力モードへと移行させ、第２操作部１４０を露出位置から収納位置へと変位させる。
【０１１０】
図１８は、本発明の第６実施形態に係る画像形成装置の制御部が操作部を露出位置から収納位置へと変位させるフローチャートである。
【０１１１】
キーボード１４２を使って文字入力をする場合には、開閉スイッチ１８０を押下して第２操作部１４０を露出位置へ変位させる。すると、軸受部１４８Ａが露出検知センサ１８１に接触し、露出検知センサ１８１がＯＮしているという情報がＣＰＵ１６０に伝達される。図１８では、この状態からフローがスタートするものとする。
【０１１２】
画像形成装置１００がアイドル状態に移行すると（Ｓ６１０）、その情報がＣＰＵ１６０に伝達され、ＣＰＵ１６０は、タイマ１９７に時間の計測を開始させる（Ｓ６２０）。その後タイマ１９７の計測時間が一定時間を経過すると（Ｓ６３０）、その情報がＣＰＵ１６０に伝達され、ＣＰＵ１６０は、画像形成装置１００を省電力モードへと移行させ（Ｓ６４０）、駆動モータ１４３を駆動して第２操作部１４０を露出位置から収納位置へと変位させる（Ｓ６４５）。
【０１１３】
Ｓ６３０においてタイマ１９７の計測時間が一定時間を経過する前に画像形成装置１００がノンアイドル状態に移行すると（Ｓ６５０）、その情報がＣＰＵ１６０に伝達され、ＣＰＵ１６０は、タイマ１９７の時間の計測を終了させ（Ｓ６６０）、タイマ１９７の計測時間をリセットする（Ｓ６７０）。
【０１１４】
なお、明細書中では、検出部のパターンを第１実施形態から第６実施形態にわけて記載したが、これらを任意に組み合わせても本発明の効果を奏することができる。
【０１１５】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【０１１６】
【図１】本発明の第１実施形態に係る画像形成装置の構成を示す図である。
【図２】本発明の第１実施形態に係る画像形成装置の斜視図である。
【図３】本発明の第１実施形態に係る画像形成装置の操作部を示す図である。
【図４】本発明の第１実施形態に係る画像形成装置の操作部を変位する際に動作する各部の構成を示す図である。
【図５】本発明の第１実施形態に係る画像形成装置の操作部を手動で変位したときのフローチャートである。
【図６】本発明の第１実施形態に係る画像形成装置の操作部を駆動する駆動モータの回路を示す図である。
【図７】本発明の第１実施形態に係る画像形成装置の主要な構成を示すブロック図である。
【図８】本発明の第１実施形態に係る画像形成装置の制御部が操作部を露出位置から収納位置へと変位させるフローチャートである。
【図９】本発明の第２実施形態に係る画像形成装置の主要な構成を示すブロック図である。
【図１０】本発明の第２実施形態に係る画像形成装置の制御部が操作部を露出位置から収納位置へと変位させるフローチャートである。
【図１１】本発明の第３実施形態に係る画像形成装置の主要な構成を示すブロック図である。
【図１２】本発明の第３実施形態に係る画像形成装置の制御部が操作部を露出位置から収納位置へと変位させるフローチャートである。
【図１３】本発明の第４実施形態に係る画像形成装置の主要な構成を示すブロック図である。
【図１４】本発明の第４実施形態に係る画像形成装置の制御部が操作部を露出位置から収納位置へと変位させるフローチャートである。
【図１５】本発明の第５実施形態に係る画像形成装置の主要な構成を示すブロック図である。
【図１６】本発明の第５実施形態に係る画像形成装置の制御部が操作部を露出位置から収納位置へと変位させるフローチャートである。
【図１７】本発明の第６実施形態に係る画像形成装置の主要な構成を示すブロック図である。
【図１８】本発明の第６実施形態に係る画像形成装置の制御部が操作部を露出位置から収納位置へと変位させるフローチャートである。
【符号の説明】
【０１１７】
１００−画像形成装置
１３４−印刷開始キー
１４０−第２操作部
１４９−第２入力キー
１６０−ＣＰＵ
１９１−人検知部
１９２−タイマ
１９３−送信キー
１９４−タイマ
１９６−省電力モードキー
１９７−タイマ
【図１】
2010114491.tif 000003
【図２】
2010114491.tif 000004
【図３】
2010114491.tif 000005
【図４】
2010114491.tif 000006
【図５】
2010114491.tif 000007
【図６】
2010114491.tif 000008
【図７】
2010114491.tif 000009
【図８】
2010114491.tif 000010
【図９】
2010114491.tif 000011
【図１０】
2010114491.tif 000012
【図１１】
2010114491.tif 000013
【図１２】
2010114491.tif 000014
【図１３】
2010114491.tif 000015
【図１４】
2010114491.tif 000016
【図１５】
2010114491.tif 000017
【図１６】
2010114491.tif 000018
【図１７】
2010114491.tif 000019
【図１８】
2010114491.tif 000020